【手続補正書】
【提出日】平成20年8月20日(2008.8.20)
【手続補正１】
【補正対象書類名】特許請求の範囲
【補正対象項目名】全文
【補正方法】変更
【補正の内容】
【特許請求の範囲】
【請求項１】
送信先番号と送信設定とを関連付けた送信先情報を格納する送信先登録手段と、
送信対象データの所定の位置に記録された送信先番号を読み取る送信先番号読取手段と、
前記送信先番号読取手段にて読み取った送信先番号と前記送信先情報を照合する照合手段と、
前記照合手段による結果に基づいて、前記送信先番号読取手段にて読み取った送信番号に関連付けられている送信設定を行い、前記送信対象データを前記送信先番号に対して送信を行う送信手段と、を備えることを特徴とする通信装置。
【請求項２】
送信権限を有するユーザの情報を格納する送信者登録手段と、
前記送信対象データの所定の位置に記録された送信者情報を読み取る送信者情報読取手段と、を備え、
前記照合手段は、前記送信者情報読取手段にて読み取った送信者情報と、前記送信者登録手段にて登録されているユーザの情報とを照合し、送信を制限することを特徴とする請求項１記載の通信装置。
【請求項３】
前記送信対象データの送信先や送信条件などの送信済み情報を格納する送信済情報登録手段を備えることを特徴とする請求項１又は２記載の通信装置。
【請求項４】
前記照合手段は、前記送信先番号の照合に失敗したときには、警告表示を行うことを特徴とする請求項１から３のいずれか１項に記載の通信装置。
【請求項５】
送信先番号と送信設定とを関連付けた送信先情報を格納する送信先登録ステップと、
送信対象データの所定の位置に記録された送信先番号を読み取る送信先番号読取ステップと、
前記送信先番号読取ステップにて読み取った送信先番号と前記送信先情報を照合する照合ステップと、
前記照合ステップによる結果に基づいて、前記送信先番号読取ステップにて読み取った送信番号に関連付けられている送信設定を行い、前記送信対象データを前記送信先番号に対して送信を行う送信ステップと、を備えることを特徴とする通信装置の送信方法。
【請求項６】
送信権限を有するユーザの情報を格納する送信者登録ステップと、
前記送信対象データの所定の位置に記録された送信者情報を読み取る送信者情報読取ステップと、を備え、
前記照合ステップは、前記送信者情報読取ステップにて読み取った送信者情報と、前記送信者登録ステップにて登録されているユーザの情報とを照合し、送信を制限することを特徴とする請求項５記載の通信装置の送信方法。
【請求項７】
前記送信対象データの送信先や送信条件などの送信済み情報を格納する送信済情報登録ステップを備えることを特徴とする請求項５又は６記載の通信装置の送信方法。
【請求項８】
前記照合ステップは、前記送信先番号の照合に失敗したときには、警告表示を行うことを特徴とする請求項５から７のいずれか１項に記載の通信装置の送信方法。
【請求項９】
請求項５から８のいずれか1項に記載の通信装置の送信方法をコンピュータに実行させるプログラム。
【請求項１０】
請求項９に記載のプログラムを格納したコンピュータ読取可能な記録媒体。
【手続補正２】
【補正対象書類名】明細書
【補正対象項目名】発明の名称
【補正方法】変更
【補正の内容】
【発明の名称】通信装置、通信装置の送信方法、プログラム、記録媒体
【手続補正３】
【補正対象書類名】明細書
【補正対象項目名】０００１
【補正方法】変更
【補正の内容】
【０００１】
この発明は、画像処理装置及びファクシミリ装置などとして機能する通信装置などの改良に係り、特に、ダイアル操作や設定等の必要なしで、正確かつ自動的に送信できるようにした通信装置、その送信方法、プログラム、記録媒体に関する。
【手続補正４】
【補正対象書類名】明細書
【補正対象項目名】００１８
【補正方法】変更
【補正の内容】
【００１８】
本発明では、上記の問題を解決するために成されたものであり、その目的は、送信原稿上のバーコードなどから読み取ったファックス番号から予め登録しておいた宛先情報より照合し、操作者に複雑な設定させることなくファックスの各種設定を自動で行うファクシミリ装置または画像処理装置などとしての送信装置を提供することにある。
【手続補正５】
【補正対象書類名】明細書
【補正対象項目名】００１９
【補正方法】変更
【補正の内容】
【００１９】
上記目的を達成するため、本発明では、次のような特徴を有する通信装置を提案している。即ち、送信先番号と送信設定とを関連付けた送信先情報を格納する送信先登録手段と、送信対象データの所定の位置に記録された送信先番号を読み取る送信先番号読取手段と、送信先番号読取手段にて読み取った送信先番号と送信先情報を照合する照合手段と、照合手段による結果に基づいて、送信先番号読取手段にて読み取った送信番号に関連付けられている送信設定を行い、送信対象データを送信先番号に対して送信を行う送信手段と、を備えることを特徴とする。
【手続補正６】
【補正対象書類名】明細書
【補正対象項目名】００２０
【補正方法】変更
【補正の内容】
【００２０】
また、本発明における通信装置の送信方法は、送信先番号と送信設定とを関連付けた送信先情報を格納する送信先登録ステップと、送信対象データの所定の位置に記録された送信先番号を読み取る送信先番号読取ステップと、送信先番号読取ステップにて読み取った送信先番号と送信先情報を照合する照合ステップと、照合ステップによる結果に基づいて、送信先番号読取ステップにて読み取った送信番号に関連付けられている送信設定を行い、送信対象データを送信先番号に対して送信を行う送信ステップと、を備えることを特徴とする。
【手続補正７】
【補正対象書類名】明細書
【補正対象項目名】００２１
【補正方法】変更
【補正の内容】
【００２１】
また、本発明におけるプログラムは、上記記載の通信装置の送信方法をコンピュータに実行させるプログラムである。
【手続補正８】
【補正対象書類名】明細書
【補正対象項目名】００２２
【補正方法】変更
【補正の内容】
【００２２】
また、本発明における記録媒体は、上記記載のプログラムを格納したコンピュータ読取可能な記録媒体である。
【手続補正９】
【補正対象書類名】明細書
【補正対象項目名】００２３
【補正方法】変更
【補正の内容】
【００２３】
この発明の具体的内容は以下のようになる。つまり、予め登録された宛先情報のファックス番号や回線の種類、送信方法などにより、相手先をダイアルして交信する機能を有するファクシミリ装置または画像処理装置において、送信原稿の所定位置に記録された送信先のファックス番号の情報を光学式に読み取る光学式番号読み取り手段を備え、セットされた送信原稿上の送信先ファックス番号の情報により、予め登録されていた宛先情報から同じファックス番号を照合してその宛先のファックス番号や回線の種類、送信方法などのファックス設定を自動で設定することによって該送信先ファックス番号へ画像情報を送信するように構成している。また、送信原稿の所定位置に記録された送信者の情報を光学式に読み取る光学式番号読み取り手段を備え、そのファックスを送信した送信者が誰であったかを記憶できるように構成している。さらに、装置に登録するユーザ情報を管理することにより、ファックス送信の権限を管理することができるように構成している。ここで、このファクシミリ装置または画像処理装置において、上記光学式番号読み取り手段は、スキャナ等の画像読み取り手段の近傍に設けられている構成である。また、このファクシミリ装置または画像処理装置において、上記送信原稿の所定位置に記録された送信先のファックス番号の情報は、バーコードあるいはマークシートによる記号である構成である。この発明は、送信原稿の所定の位置に、送信先のファックス番号と送信者情報が併記されたバーコードを２つ作成しておく。そしてその送信原稿のバーコードの位置を装置の設定で２箇所指定し、光学式読み取り手段によってファックス番号と送信者情報が記載された２つのバーコードを送信原稿の指定した場所のみから読み取る。さらに予め登録された宛先情報と読み取ったファックス番号とを照合し、操作者に複雑なファックスの各設定をさせることなく自動でファックのファックス番号、送信条件、回線などの設定しファックスを送信することができる。また、送信者情報により、そのファックス文書を誰が送信したのかを記録しておくこともできる。読み取った送信者情報が装置に予め登録されたユーザ情報に登録されていない送信者であった場合にはファックス送信を不可とすることができる。
【手続補正１０】
【補正対象書類名】明細書
【補正対象項目名】００２４
【補正方法】変更
【補正の内容】
【００２４】
送信原稿の所定位置に記録された送信先の情報（ファックス番号など）を読み取り、予め登録された宛先情報の回線の種類、送信方法などを自動で設定し、該送信先へ画像情報を送信することが可能となる。